(57)【要約】      （修正有）【課題】削り片は、変形し難く、固定台から離脱することがなく、削り穴に削り対象物を順調に入れ可能なおろし器を提供する。【解決手段】固定台２０と、削り片２１と、から構成され、固定台は、プレート状を呈し、中央に長穴２０１が設けられており、削り片は、長穴に固定されており、金属シートで作られており、その中央が上方に膨らんで複数の削り穴２１１が傾斜に設けられており、前後に隣接する削り穴は互いに交錯に配列されているおろし器において、削り片の前端と固定台の連結箇所では、斜面２１２が形成されており、螺子２２により、斜面が固定台に固定されており、斜面に沿って削り穴に削り対象物を順調に押入れるために、斜面の傾斜度が小さく形成されている。【選択図】図４
0003188235.tif 000002
【実用新案登録請求の範囲】
【請求項１】
固定台と、削り片と、から構成され、前記固定台は、プレート状を呈し、中央に長穴が設けられており、前記削り片は、前記長穴に固定されており、金属シートで作られており、その中央が上方に膨らんで複数の削り穴が傾斜に設けられており、前後に隣接する前記削り穴は互いに交錯するように配列されているおろし器において、
前記削り片の前端と前記固定台の連結箇所では、斜面が形成されており、螺子により、前記斜面が前記固定台に固定されており、前記斜面に沿って前記削り穴に削り対象物を順調に押入れるために、前記斜面の傾斜度が大きくないことを特徴とするおろし器。
【請求項２】
前記固定台は、その一側の幅が徐々に縮小して、その端縁が丸くされて握り部を形成することを特徴とする、請求項１に記載のおろし器。
【考案の詳細な説明】
【技術分野】
【０００１】
本考案は、おろし器に関し、特に、固定台と削り片とから構成され、螺子により削り片が固定台の長穴に固定されており、削り片は、変形し難く、固定台から離脱することがなく、削り穴に削り対象物を順調に押入れ可能なおろし器に関するものである。
【背景技術】
【０００２】
各種の料理を作るために、食材を条状にすることがある。例えば大根や竹の子などを条状にして料理することがある。しかし、食材を条状にすることは迅速にすることができないため、おろし器１を利用して食材を条状にすることが一般的である。図１を参照する。図１は従来のおろし器を示す分解斜視図である。従来のおろし器は、本体１０と、削り穴付き板１１と、を有する。削り穴付き板１１は、本体１０の上面に固定されている。本体１０の削り穴付き板１１に対応する箇所では、開口１２が設けられている。開口１２の対向する両側には、本体１０の上面から本体１０の下面へ傾斜する斜面１３がそれぞれ形成されている。削り穴付き板１１の二つの斜面１３に対応する両側には、下方に延びる延長段１４が設けられている。延長段１４は、開口１２の二つの斜面１３にそれぞれ対応する二つの溝１３０に嵌め込まれている。削り穴付き板１１の表面には、複数列の削り穴１１０が設けられており、前後に隣接する削り穴１１０は互いに交錯するように配列されている。螺子１５により、削り穴付き板１１は本体１０に固定されている。
【０００３】
図２及び図３を参照しながら、従来のおろし器の使用方法を説明する。図２は従来のおろし器を示す斜視図であり、図３は従来のおろし器の使用状態を示す断面図である。本体１０の前端面から、削り穴付き板１１の削り穴１１０に沿って食材１６をスライドすることにより、削り穴１１０の端縁により食材１６が迅速に削られて条状となって、料理することが可能である。
【０００４】
しかし、これは次のような欠点があった。
（１）削り穴付き板１１が本体１０の斜面１３の溝１３０に挿入するため、食材１６の屑が溝１３０に侵入して残しやすい。このように、おろし器の洗浄が面倒となり、食材１６の屑が溝１３０に残しやすい。
【０００５】
（２）削り穴付き板１１と本体１０の結合箇所では、凸部１１１が形成されているため、削り穴付き板１１の削り穴１１０に沿って食材１６をスライドしているときに、食材１６が凸部１１１に阻まれてスムーズにスライドすることができない。
【０００６】
（３）削り穴付き板１１は、両側にある延長段１４によって本体１０と結合する。食材１６のスライド方向が延長段１４の本体１０への挿入方向に反対するため、おろし器１を長時期に利用されたと、削り穴付き板１１の延長段１４は溝１３０から離脱しやすい。従来のおろし器の寿命は短い。
【考案の概要】
【考案が解決しようとする課題】
【０００７】
本考案の主な目的は、おろし器の洗浄が容易となり、食材の屑が溝に残さず、食材の削り穴付き板でのスライドがスムーズとなり、長時期に利用されても、削り穴付き板が本体から離脱しないおろし器を提供することにある。
【課題を解決するための手段】
【０００８】
本考案のおろし器によると、固定台と、削り片と、から構成され、固定台は、プレート状を呈し、中央に長穴が設けられており、削り片は、長穴に固定されており、金属シートで作られており、その中央が上方に膨らんで複数の削り穴が傾斜に設けられており、前後に隣接する削り穴は互いに交錯するように配列されているおろし器において、
削り片の前端と固定台の連結箇所では、斜面が形成されており、螺子により、斜面が固定台に固定されており、斜面に沿って削り穴に削り対象物を順調に押入れるために、斜面の傾斜度が大きくないことを特徴とする。
【０００９】
本考案のおろし器によると、固定台は、その一側の幅が徐々に縮小して、その端縁が丸くされて握り部を形成することを特徴とする。
【考案の効果】
【００１０】
本考案のおろし器によれば、次のような効果がある。
（１）削り片２１が固定台２０に固定されており、食材を条状にしているときには、食材の屑が固定台２０の表面だけに残す。削り片２１と固定台２０を洗浄するだけで、食材の屑を完全に除去することが可能である。食材の屑はおろし器２に残さない。
【００１１】
（２）削り片２１と固定台２０の結合箇所では、斜面２１２が形成されているため、削り穴２１１に食材をスムーズに押入れることが可能であり、省力化することが可能である。
【００１２】
（３）斜面２１２は、傾斜度が大きくないため、削り対象物に良く対応することが可能である。螺子２２により斜面２１２が固定台２０に固定されているため、長期間に利用されても、削り片２１が変形し、又は離脱することはない。このように、従来のものよりも、おろし器２の寿命は長くなる。
【図面の簡単な説明】
【００１３】
【図１】従来のおろし器を示す分解斜視図である。
【図２】従来のおろし器を示す斜視図である。
【図３】従来のおろし器の使用状態を示す断面図である。
【図４】本考案の一実施例を示す分解斜視図である。
【図５】本考案の一実施例を示す斜視図である。
【図６】本考案の一実施例の使用状態を示す模式図である。
【図７】本考案の一実施例の使用状態を示す断面図である。
【図８】本考案の別の実施例を示す斜視図である。
【考案を実施するための最良の形態】
【００１４】
以下、本考案の実施の形態を図面に基づいて説明する。
図４を参照する。図４は本考案の一実施例を示す分解斜視図である。本実施例のおろし器２は、固定台２０と、削り片２１と、から構成される。固定台２０は、プレート状を呈し、中央に長穴２０１が設けられている。このように、長穴２０１に削り片２１を固定することが可能である。削り片２１は、金属シートで作られており、その中央が上方に膨らんで複数の削り穴２１１が傾斜に設けられている。前後に隣接する削り穴２１１は互いに交錯するように配列されている。単数列の削り穴２１１の数量は、同じであり、且つ双数列の削り穴２１１の数量よりも少ないため、削り穴２１２に沿って食材をスムーズにスライドすることが可能であり、削り穴２１２により食材が条状となる。削り片２１と固定台２０の結合箇所では、斜面２１２が形成されているため、削り穴２１１に食材をスムーズに押入れることが可能であり、省力化することが可能である。削り片２１の後端に位置する長穴２０１の一側辺には、斜面２０２が設けられているため、条状となる食材は、斜面２０２に沿って落下し、長穴２０１の内部に残すことはない。
【００１５】
次に、図４及び図５を参照しながら本実施例の組付方法を説明する。図５は本考案の一実施例を示す斜視図である。まず、長穴２０１に削り片２１を合せて、固定台２０に削り片２１を押付けて、螺子２２により固定台２０に削り片２１を固定する。このように、おろし器２の作製は極めて簡易で迅速である。特に、螺子２２により、固定台２０に削り片２１の斜面２１２を緊密に結合するため、長期間に利用されても、削り片２１が変形し、又は離脱することはない。このように、従来のものよりも、おろし器２の寿命は長くなる。
【００１６】
次に、図６を参照しながら本実施例の使用方法を説明する。図６は本考案の一実施例の使用状態を示す模式図である。削り片２１の削り穴２１１は、単数列の削り穴２１１の数量が、同じであり、且つ双数列の削り穴２１１の数量よりも少ないため、削り穴２１２に沿って削り対象物３をスムーズにスライドすることが可能であり、一回で複数本の条状物３０を形成することが可能である。また、キュウリを削り対象物３として説明する。まず、ユーザが手で削り対象物３を握って、図７に示すように、削り片２１と固定台２０の連結箇所での斜面２１２に沿って削り対象物３を往復にスライドする。削り片２１の削り穴２１１による削りにより、削り対象物３が複数の条状物３０となる。削り片２１の斜面２１２により、削り穴２１１に削り対象物３を押入れることがスムーズになり、省力化することが可能である。特に、斜面２１２は、傾斜度が大きくないため、削り対象物３に良く対応することが可能である。螺子２２により斜面２１２が固定台２０に固定されているため、長期間に利用されても、削り片２１が変形し、又は離脱することはない。このように、従来のものよりも、おろし器２の寿命は長くなる。
【００１７】
図８を参照する。図８は本考案の別の実施例を示す斜視図である。固定台２０の端部を容易に握るために、固定台２０は、その一側の幅が徐々に縮小して、その端縁が丸くされて握り部２０３を形成する。このような設計は人間工学を適用するため、ユーザは、握り部２０３を容易に握って削り対象物を条状物にすることが可能である。
【産業上の利用可能性】
【００１８】
本考案は、おろし器に適用することができる。
【符号の説明】
【００１９】
１  おろし器
２  おろし器
３  削り対象物
１０  本体
１１  削り穴付き板
１２  開口
１３  斜面
１４  延長段
１５  螺子
１６  食材
２０  固定台
２１  削り片
２２  螺子
３０  条状物
１１０  削り穴
１１１  凸部
１３０  溝
２０１  長穴
２０２  斜面
２０３  握り部
２１１  削り穴
２１２  斜面
【図１】
0003188235.tif 000003
【図２】
0003188235.tif 000004
【図３】
0003188235.tif 000005
【図４】
0003188235.tif 000006
【図５】
0003188235.tif 000007
【図６】
0003188235.tif 000008
【図７】
0003188235.tif 000009
【図８】
0003188235.tif 000010
【手続補正書】
【提出日】平成25年10月23日(2013.10.23)
【手続補正１】
【補正対象書類名】明細書
【補正対象項目名】０００８
【補正方法】変更
【補正の内容】
【０００８】本考案のおろし器によると、固定台と、削り片と、から構成され、固定台は、プレート状を呈し、中央に長穴が設けられており、削り片は、長穴に固定されており、金属シートで作られており、その中央が上方に膨らんで複数の削り穴が傾斜に設けられており、前後に隣接する削り穴は互いに交錯するように配列されているおろし器において、削り片の前端と固定台の連結箇所では、下方へ傾斜している斜面が形成されており、螺子により、斜面が固定台に固定されていることを特徴とする。
【手続補正２】
【補正対象書類名】実用新案登録請求の範囲
【補正対象項目名】全文
【補正方法】変更
【補正の内容】
【実用新案登録請求の範囲】
【請求項１】
固定台と、削り片と、から構成され、前記固定台は、プレート状を呈し、中央に長穴が設けられており、前記削り片は、前記長穴に固定されており、金属シートで作られており、その中央が上方に膨らんで複数の削り穴が傾斜に設けられており、前後に隣接する前記削り穴は互いに交錯するように配列されているおろし器において、前記削り片の前端と前記固定台の連結箇所では、下方へ傾斜している斜面が形成されており、螺子により、前記斜面が前記固定台に固定されていることを特徴とするおろし器。
【請求項２】
前記固定台は、その一側の幅が徐々に縮小して、その端縁が丸くされて握り部を形成することを特徴とする、請求項１に記載のおろし器。